(57)【特許請求の範囲】
【請求項１】
少なくとも雌型／雄型接続部（４’）、雌型末端部（２）及び／又は雄型末端部（３）を備えるモジュール式骨プレートであって、
前記雌型末端部（２）は、上面及び底面を有する雌型接続部を備え、
前記雄型末端部（３）は、上面及び底面を有する雄型接続部を備え、
前記雌型／雄型接続部（４’）は、それぞれが上面及び底面を有する雌型接続部及び雄型接続部を備え、
前記雌型接続部及び前記雄型接続部は、前記雄型接続部が、前記雌型接続部内に挿入されるように構成され、
前記雌型接続部は、前記上面から前記底面に延びる単一孔（２１，４１）を備え、
前記雄型接続部は、前記上面から前記底面に延びる単一孔（３１，４２）を備え、
前記雌型接続部及び前記雄型接続部は、前記雄型接続部が前記雌型接続部内に挿入された状態で、前記雄型接続部内の前記単一孔（３１，４２）及び前記雌型接続部内の前記単一孔（２１，４１）が重なり合うように構成され、
前記雄型接続部内の前記単一孔（３１，４２）及び前記雌型接続部内の前記単一孔（２１，４１）が重なり合う場合、アンカー又はプラグ部材が、前記雄型接続部内の前記単一孔（３１，４２）及び前記雌型接続部内の前記単一孔（２１，４１）内に挿入可能であり、
前記雌型／雄型接続部（４’）の前記雌型接続部としてのラグ部（４５’）は、前記モジュール式骨プレートの表面に平行な面で角度の付いた構成を達成するために、円形部分（４５ａ’）と、二つの直線部分（４５ｂ’）と、を備える、モジュール式骨プレート。
【請求項２】
前記雄型接続部内の前記単一孔（３１，４２）及び前記雌型接続部内の前記単一孔（２１，４１）は、周方向において閉鎖されている、請求項１に記載のモジュール式骨プレート。
【請求項３】
前記雌型接続部及び／又は雄型接続部の前記単一孔には、ねじが設けられている、請求項１又は２に記載のモジュール式骨プレート。
【請求項４】
頭部の球状部を有する骨アンカーと、前記雌型接続部及び／又は前記雄型接続部のねじ穴内にねじ込まれるキャップと、をさらに備える、請求項３に記載のモジュール式骨プレート。
【請求項５】
前記雌型接続部の前記単一孔（２１，４１）に接続されるプラグ部材をさらに備える、請求項３又は４に記載のモジュール式骨プレート。
【請求項６】
前記プラグ部材は、前記雌型接続部の前記ねじ穴内にねじ込まれる、請求項５に記載のモジュール式骨プレート。
【請求項７】
前記雌型／雄型接続部（４’）、前記雌型末端部（２）及び／又は前記雄型末端部（３）は、互いに対して角度を有するように構成されている、請求項１〜６の何れかに記載のモジュール式骨プレート。
【請求項８】
前記雌型接続部は、該雌型接続部の前記単一孔（２１，４１）と連通する凹部、ラグ部又はポケット部によって形成されている、請求項１〜７の何れかに記載のモジュール式骨プレート。
【請求項９】
前記雄型接続部は、凸部又は突起部によって形成されている、請求項１〜８の何れかに
記載のモジュール式骨プレート。
【請求項１０】
前記雌型／雄型接続部（４’）は、中央部分（４３）によって接続される前記雌型末端部（２）及び前記雄型末端部（３）の一体的組合せである、請求項１〜９の何れかに記載のモジュール式骨プレート。
【請求項１１】
前記雌型末端部（２）の前記雌型接続部は、略円筒状であり、側壁内に設けられる凹部（２３）であって、外側から前記雌型接続部の前記単一孔（２１，４１）に向けて前記側壁の周囲の略半分まで延びる凹部（２３）を備える、請求項１〜１０の何れかに記載のモジュール式骨プレート。
【請求項１２】
前記雄型末端部（３）の前記雄型接続部は、円筒状であり、片側に、前記凹部（２３）の外形に適合される延出部（３２）を有する、請求項１１に記載のモジュール式骨プレート。
【請求項１３】
前記中央部分（４３）は、前記モジュール式骨プレートがカスケード形態を有するように、傾斜部（４３１’’）である、請求項１０に記載のモジュール式骨プレート。
【請求項１４】
前記モジュール式骨プレートは、全体として、該モジュール式骨プレートの一方側から他方端側に向けて厚みが減少している、請求項１〜１３の何れかに記載のモジュール式骨プレート。
【請求項１５】
前記モジュール式骨プレートは、中心から両側に向けて厚みが減少している、請求項１〜１４の何れかに記載のモジュール式骨プレート。
【請求項１６】
上腕の拡張可能なプレート又は所望の長さを有するモジュール式Ｔ型プレートが形成されるように、雌型接続部を備える頭部が、設けられている、請求項１〜１５の何れかに記載のモジュール式骨プレート。
【請求項１７】
前記雌型接続部は、前記雄型接続部が少なくとも部分的に挿入可能な開口部を備える、請求項１〜１６の何れかに記載のモジュール式骨プレート。
【請求項１８】
モジュール式骨プレートの雌型／雄型接続部（４’）であって、
少なくとも雄型接続部を有する第一の部材と、雌型接続部を有する第二の部材と、を備
え、それぞれの部材が、上面及び底面を有し、
前記雄型接続部は、前記上面から前記底面に延びる単一孔（４２）を有し、
前記雌型接続部は、前記上面から前記底面に延びる単一孔（４１）を有し、
前記雄型接続部は、前記雄型接続部の前記単一孔（４２）及び前記雌型接続部の前記単一孔（４１）が重なり合うように、第二のモジュール式雌型／雄型接続部の雌型接続部内に挿入可能であり、前記単一孔（４２）及び前記単一孔（４１）が重なり合う場合、アンカー、プラグ部材、固定ねじ、ラグねじ又は接続キャップは、前記雄型接続部の前記単一孔（４２）及び前記雌型接続部の前記単一孔（４１）内に挿入可能であり、
前記雌型／雄型接続部（４’）の前記雌型接続部としてのラグ部（４５’）は、前記モジュール式骨プレートの表面に平行な面で角度の付いた構成を達成するために、円形部分（４５ａ’）と、二つの直線部分（４５ｂ’）と、を備える、モジュール式骨プレートの雌型／雄型接続部（４’）。
【請求項１９】
前記雄型接続部の前記単一孔（４２）及び前記雌型接続部の前記単一孔（４１）は、大きさが異なる、請求項１８に記載のモジュール式骨プレートの雌型／雄型接続部（４’）。
【発明の詳細な説明】
【技術分野】
【０００１】
（関連出願の相互参照）
本願は、２０１１年６月１７日に出願されたＢｉｅｄｅｒｍａｎｎによる米国仮出願番号６１／４９７，９７２（代理人整理番号  ＭＤ１１‐Ｐ２８３５０ＵＳ００）の優先権を主張し、参照することにより、この出願を全体として援用する。
【０００２】
本発明は、モジュール式骨プレート及び該モジュール式骨プレート用接続部に関する。
【背景技術】
【０００３】
特許文献１は、大腿骨疾患を安定させる際に使用するためのモジュール式インプラントを記載する。一実施形態において、インプラントは、拡大された頭部を有する上側プレートと、角度の付いたバレルと、実矧ぎ構造において上側プレートを係合されるように適合される下側プレートを有する。
【先行技術文献】
【特許文献】
【０００４】
【特許文献１】米国特許第５，４８４，４３９号明細書
【発明の概要】
【発明が解決しようとする課題】
【０００５】
本発明の目的は、種々の臨床応用のために実現されることができ、組み立て易く、頑丈かつ耐久性のある構成を提供する改良されたモジュール式骨プレートを提供することである。
【０００６】
目的及びさらなる発展は、本明細書中に記載の種々の実施形態に従って記載されるモジュール式骨プレートによって取り組まれる。
【課題を解決するための手段】
【０００７】
本発明に係る骨プレートは、少なくとも二つの部材を備え、各部材は、上面及び底面を有するとともに、互いに結合されることができる。該部材は、上面から底面に延びる単一孔を有する雄型接続部と、上面から底面に延びる単一孔を有する雌型接続部と、を含む。雄型接続部が雌型接続部内に挿入されると、単一孔が重なり合うとともに、単一孔が重なり合う場合、アンカー又はプラグ部材が、単一孔内に挿入されるようになる。
【０００８】
モジュール構造によって、特定の臨床要求に従うとともに、特定の解剖学的状況に適合される骨プレートが、容易に設計されることができる。
【０００９】
雄型接続部には、一つの係合孔があるのみである。雄型接続部の係合部分は比較的短い。これにより、調整及び係合手順が行われ易くなる。
【００１０】
モジュール式骨プレートは、接続される部材間の角度が選択されることができるように、回動可能に設計されてもよい。部材は、角度のある構成で、互いに対して固定されてもよい。
【００１１】
さらなる発展において、雌型接続部内の雄型接続部及び雄型接続部内の雌型接続部によって実現される付加的な係合点がある。これにより、接続される部材間の荷重の分配が、より均等になる。
【００１２】
ロッキングねじ及び非ロッキングねじは、モジュール式骨プレートとともに使用されてもよい。ロッキングねじは、孔内にねじ込まれるロッキングキャップを使用する。これにより、構成がより安定するとともに、剛性が増加する。プレート部は、プラグ部材を用いることにより、ねじを用いずに一緒に固定されることができる。
【００１３】
本発明のさらなる特徴及び利点は、添付図面を参照して、実施の形態の記載から明らかとなろう。
【図面の簡単な説明】
【００１４】
【図１ａ】第一の実施形態に係るモジュール式骨プレートアセンブリの斜視図を示す。
【図１ｂ】第一の実施形態に係るモジュール式骨プレートアセンブリの分解図を示す。
【図１ｃ】第一の実施形態に係るモジュール式骨プレートアセンブリの断面斜視図を示す。
【図１ｄ】第一の実施形態に係るモジュール式骨プレートアセンブリの断面図を示す。
【図２ａ】上部からのボールロッキングキャップの斜視図を示す。
【図２ｂ】底部からのボールロッキングキャップの斜視図を示す。
【図３ａ】第一の実施形態に係るモジュール式骨プレートの雄型末端部の斜視図を示す。
【図３ｂ】第一の実施形態に係る雌型末端部の斜視図を示す。
【図４】第一の実施形態に係る雄型／雌型接続部の斜視図を示す。
【図５ａ】角度のある構成を有する第二の角度のある実施形態におけるモジュール式骨プレートアセンブリの上面図を示す。
【図５ｂ】第二の実施形態に係るモジュール式骨プレートアセンブリの水平断面図を示す。
【図６】第二の実施形態における角度のある雄型／雌型接続部の水平断面図を示す。
【図７ａ】第三の実施形態に係るモジュール式骨プレートシステムの斜視図を示す。
【図７ｂ】第三の実施形態に係るモジュール式骨プレートアセンブリの側面図を示す。
【図７ｃ】第三の実施形態に係るモジュール式骨プレートアセンブリの断面側面図を示す。
【図７ｄ】第三の実施形態に係るモジュール式骨プレートアセンブリの断面斜視図を示す。
【図７ｅ】第三の実施形態に係るモジュール式骨プレートアセンブリの分解図を示す。
【図８ａ】第三の実施形態に係る雄型／雌型接続部（４．５ｍｍ〜２．５ｍｍ）の斜視図を示す。
【図８ｂ】第三の実施形態に係る雄型／雌型接続部（４．５ｍｍ〜２．５ｍｍ）の側面図を示す。
【図９ａ】第四の実施形態に係る雄型／雌型接続部（３．５ｍｍ〜２．５ｍｍ）の斜視図を示す。
【図９ｂ】第四の実施形態に係る雄型／雌型接続部（３．５ｍｍ〜２．５ｍｍ）の側面図を示す。
【図１０ａ】第四の実施形態に係るモジュール式骨プレートアセンブリの斜視図を示す。
【図１０ｂ】第四の実施形態に係るモジュール式骨プレートアセンブリの側面図を示す。
【図１１】ａ〜ｅは、第五の実施形態に係る上腕の拡張可能なプレートの斜視図を示す。
【図１２】ａ〜ｅは、第五の実施形態に係る上腕の拡張可能なプレートの分解図を示す。
【図１３】ａ〜ｅは、第五の実施形態に係る上腕の拡張可能なプレートの上面斜視図を示す。
【図１４】ａ〜ｅは、第五の実施形態に係る上腕の拡張可能なプレートの底面斜視図を示す。
【図１５】第六の実施形態に係るモジュール式急角度の骨プレートの上面図を示す。
【図１６】ａ〜ｉは、０度〜９０度までの角度を有する急角度の接続部の上面図を示す。
【図１７】ａ〜ｉは、図１６ａ〜ｉに示される急角度の接続部の斜視図を示す。
【図１８ａ】第五の実施形態（角度４５度）に係る雄型／雌型接続部の斜視図を示す。
【図１８ｂ】第五の実施形態（角度４５度）に係る雄型／雌型接続部の水平断面図を示す。
【図１９ａ】第六の実施形態（角度９０度）における雄型／雌型接続部の斜視図を示す。
【図１９ｂ】第六の実施形態（角度９０度）における雄型／雌型接続部の水平断面図を示す。
【図２０】ａ〜ｅは、第七の実施形態に係るモジュール式Ｔ型プレートの斜視図を示す。
【図２１】ａ〜ｅは、第七の実施形態に係るモジュール式Ｔ型プレートの分解図を示す。
【図２２】ａ〜ｅは、第八の実施形態に係るモジュール式Ｙ型プレートの斜視図を示す。
【図２３】ａ〜ｅは、第八の実施形態に係るモジュール式Ｙ型プレートの分解図を示す。
【図２４】ａ〜ｃは、第九の実施形態に係る交換可能な頭部を有するモジュール式骨プレートの正面斜視図を示す。
【図２５】ａ〜ｃは、第九の実施形態に係るモジュール式骨プレートの分解図を示す。
【図２６ａ】第一の配置における第十の実施形態に係るモジュール式骨プレートアセンブリの斜視図を示す。
【図２６ｂ】第二の配置における第十の実施形態に係るモジュール式骨プレートアセンブリの斜視図を示す。
【図２７】第二の実施形態に係る二重ラッチ接続部の斜視図を示す。
【図２８ａ】第一の配置における第七の実施形態に係る雄型／雌型接続部の斜視図を示す。
【図２８ｂ】第二の配置における第七の実施形態に係る雄型／雌型接続部の斜視図を示す。
【図２９】第十の実施形態に係るモジュール式骨プレートアセンブリの断面側面図を示す。
【図３０ａ】第十一の実施形態に係るモジュール式骨プレートの斜視図を示す。
【図３０ｂ】第十一の実施形態に係るモジュール式骨プレートの分解図を示す。
【図３０ｃ】第十一の実施形態に係るモジュール式骨プレートの断面斜視図を示す。
【図３１ａ】第十一の実施形態に係るモジュール式骨プレートアセンブリの斜視図を示す。
【図３１ｂ】第十一の実施形態に係るモジュール式骨プレートアセンブリの断面斜視図を示す。
【図３１ｃ】第十一の実施形態に係るモジュール式骨プレートアセンブリの分解図を示す。
【図３２ａ】第十二の実施形態に係るモジュール式骨プレートアセンブリの側面図を示す。
【図３２ｂ】第十二の実施形態に係るモジュール式骨プレートアセンブリの分解図を示す。
【図３２ｃ】第十二の実施形態に係るモジュール式骨プレートアセンブリの斜視図を示す。
【発明を実施するための形態】
【００１５】
モジュール式骨プレートアセンブリの第一の実施形態について、図１〜４を参照して説明する。図１ａ〜１ｄにおいて特に見られることができるように、モジュール式骨プレートアセンブリは、上面１ａ及び下面１ｂを有するプレート部材１を備える。モジュール式骨プレート１は、雌型末端部２（図３ｂを参照のこと）と、雄型末端部３（図３ａを参照のこと）と、図１ａ〜１ｄを参照して、複数の雌型／雄型接続部４（図４を参照のこと）と、を備える。
【００１６】
モジュール式骨プレートアセンブリ１は、さらに、骨固定要素、例えば、骨内に骨固定要素５を固定するためのねじ付き軸５１を有する骨ねじ５と、ツール、例えば、ねじ回しと係合するための係合構造５５を有する略球状の頭部５２と、を備える。また、他の骨固定要素、例えば、ねじのない軸を有する、又は、羽枝を有する骨釘を設けることも可能である。さらに、骨固定要素５は、例えば、骨セメントを挿入するための貫通孔５４、すなわち、チャネル（図１ｃを参照のこと）を備えてもよい。さらに、雌型末端部２、或いは、雌型／雄型接続部４の雌型接続部又は雌型部分の内ねじに取り付けるように適合される外ねじを有する略円筒状のインサート６が、提供される。外ねじは、また、雄型末端部３（図示せず）、或いは、雌型／雄型接続部４の雄型接続部又は雄型部分（図示せず）の内ねじに取り付けてもよい。インサート６は、骨ねじ５の頭部５２を固定するためのロッキングキャップ又はロッキング要素として機能する。
【００１７】
プレートによって実質的に形成される雄型末端部３は、貫通孔３１を備え、雌型末端部２は、貫通孔２１を備え、雌型／雄型接続部４は、第一貫通孔４１及び第二貫通孔４２を備える（図３ａ〜４を参照のこと）。貫通孔３１、貫通孔２１、第一貫通孔４１及び第二貫通孔４２は、周囲を閉じられた開口として理解される必要がある。
【００１８】
雌型末端部２は、略円筒状であり、貫通孔２１は、雌ねじを有する部分２２を備える。さらに、雌型末端部２は、該雌型末端部２の側壁内に提供されるとともに、貫通孔２１と連通する凹部２３を備える。該凹部２３は、雌型末端部２の側壁の周囲の略半分まで延び、雌型／雄型接続部４の雄型部分を収容するように適合される。凹部２３は、外側から貫通孔２１内に向けて延びている。それによって、凸部又は突起部を有する雄型部分と係合するように適合されるラグ又はポケットが、形成される。
【００１９】
雄型末端部３の本体は、略円筒状であり、片側に、雌型末端部２の凹部２３の外形に適合される延出部３２を有する。該延出部３２は、凹部、ラグ又はポケットを有する雌型部分と係合するように適合される凸部又は突起部として形成されてもよい。雄型末端部３の貫通孔３１の部分３３は、傾斜されているため、上側に円錐状である。さらに、球状の底座部３４は、骨ねじ５の頭部５２を収容するために設けられている。
【００２０】
雌型／雄型接続部４は、中間部分４３によって接続される雄型末端部３及び雌型末端部２の一体的組合せである。これにより、雌型／雄型接続部４の雌型接続部は、内ねじ４６を有する第一貫通孔４１と、雌型／雄型接続部４の雌型接続部の側壁の周囲の略半分まで延びる凹部４５と、を備える。凹部４５は、第一貫通孔４１と連通している。雌型／雄型接続部４の雌型接続部は、その中央部に第二貫通孔４２を有する突起部４４によって形成されている。第二貫通孔４２は、雄型末端部３の傾斜部３３としての周方向の傾斜部４７と、雄型末端部３の球状の底座部３４としての球状の底座部４７ａと、を有する。
【００２１】
図１ａ〜図１ｃにおいて明らかなように、雌型末端部２の凹部２３又は雌型／雄型接続部４の凹部４５は、雄型末端部３又は雌型／雄型接続部４の雄型接続部を収容するために役立ち、組み立てられた状態において、雄型／雌型接続部の各貫通孔が重なり合う。
【００２２】
雄型末端部３の延出部３２は、雌型末端部２の凹部２３又は雌型／雄型接続部４の凹部４５に組み込むように適合される。それによって、雄型末端部３の延出部３２又は雌型／雄型接続部４の雄型部分４４は、それぞれ、凸部３２，４４として機能するとともに、雌型末端部２の凹部２３又は雌型／雄型接続部４の凹部４５は、ラグ部２３，４５として機能する。例えば、図１ａにおいて示されるように、雄型部分が雌型部分に挿入されると、直線位置に対して角度の付いた骨ねじ５の配置を許容する骨ねじ５の球状の頭部５２のための座部が形成される。
【００２３】
モジュール式骨プレートアセンブリ１を示す図１ｂ及び図１ｃから明らかなように、三つの雌型／雄型接続部４、一つの雌型末端部２及び一つの雄型末端部３が、互いに接続されている。これらの部分の不完全な接続は、骨固定要素５によって固定される。該骨固定要素５のねじ付き軸５１は、雄型末端部３の貫通孔３１又は雌型／雄型接続部４の第二貫通孔４２を通って、或いは、雌型／雄型接続部４の第一貫通孔４１及びさらなる雌型／雄型接続部４の第二貫通孔４２を通って、もしくは、雌型／雄型接続部４の第二貫通孔４２及び雌型末端部２の貫通孔２１を通って、延びている。それによって、球状の頭部５２のより低い領域は、雄型末端部３の球状の底座部３４又は雌型／雄型接続部４の雄型部分の球状の底座部４７ａと接触する。一方で、球状の底座部３４又は４７ａと、他方で、貫通孔２１の内側部分、すなわち、雌型末端部２の内ねじ又は内面４１、すなわち、雌型／雄型接続部４の雌型部分の内ねじと、接触することによって、両方の部分は、骨固定要素５又は他の固定要素（図２ａ，ｂ）によってセンタリング（ｃｅｎｔｅｒｅｄ）されている。
【００２４】
図２ａ及び図２ｂから明らかなように、雌型部分及び雄型部分を互いに固定するためのさらなる可能性は、ボールロッキングキャップ７を提供することである。該ボールロッキングキャップ７は、上側ネジ部７１と、雄型末端部３の球状の底座部３４又は雌型／雄型接続部４の底座部４７ａと協調するように適合される下側円形の略球状の部分７２と、を備える。それによって、略球状の部分７２は、骨ねじ５の球状の頭部５２の下側部分を代用し、上述のセンタリング機能を確保する。ボールロッキングキャップ７は、さらに、雌型／雄型接続部４の内ねじ４６の雌型末端部２の内ねじ２２又は雌型末端部２の内ねじ２２内に、ボールロッキングキャップ７をねじ込むためのツールによって係合されるための係合部７３を備える。
【００２５】
モジュール式骨プレートアセンブリの第二の実施形態について、図５ａ〜６を参照して説明する。図５ａ及び図５ｂにおいて特に明らかなように、モジュール式骨プレート１’は、角度の付いた構成を有する。図６を参照して、第二の実施形態における雌型／雄型接続部４’の凸部４４’は、第一の実施形態における雌型／雄型接続部４の凸部４４と同一である。図６において特に明らかなように、凸部４４’又は雄型末端部３を収容するように適合されるラグ部４５’は、円形部分４５ａ’と、互いに対して、本実施形態において約４０度の角度を有する二つの直線部分４５ｂ’を備える。また、例えば、１０度、９０度又は１２０度の他の角度が適している。図６において、直線部分４５ｂ’と、雌型／雄型接続部４’の中央軸との間の角度は、それぞれ、２０度である。しかしながら、また、これらの二つの角度は、好ましい配置を画定するために、互いに異なっていてもよい。
【００２６】
この構成によって、互いに接続される雌型／雄型接続部４’は、角度の付いた構成を達成するために、モジュール式骨プレートの表面に平行な面で、互いに対して回転させられることができる。
【００２７】
モジュール式骨プレートアセンブリの第三の実施形態について、図７ａ〜９ｂを参照して説明する。モジュール式骨プレート１’’は、カスケード形態において設けられている。図７ａ〜７ｄを参照して、モジュール式骨プレート１’’は、全体として、図の左側から図の右側に向けて厚みが減少している。図７ａにおけるモジュール式骨プレート１’’の上面１ａ’’のみが、図７ｅにおいて明らかなように、雌型／雄型接続部４’’の二つの傾斜部４３１’’によって二段階に低くされている。
【００２８】
図８ａ及び８ｂから明らかなように、第三の実施形態に係る雌型／雄型接続部４’’は、中間部分４３’’が、該中間部分４３’’の上側上に設けられる傾斜部４３１’’を備える点で、及び、雌型／雄型接続部４’’の雄型及び雌型接続部に設けられる二つの孔の直径が、互いに異なる点で、第一の実施形態と異なる。これにより、第一の実施形態と同様に、雌型／雄型接続部４の雌型接続部は、内ねじ４６’’を有する貫通孔４１’’と、雌型／雄型接続部４’’の雌型接続部の側壁の周囲の略半分まで延びる凹部４５’’と、を備える。該凹部４５’’は、貫通孔４１’’と連通している。雌型／雄型接続部４’’の雄型接続部は、その中間において貫通孔４２’’を有するラグ部４４’’によって形成されている。雌型／雄型接続部４’’の雄型及び雌型接続部は、第一の実施形態に係る対応する部分に従って形成されてもよい。
【００２９】
図９ａ及び９ｂから明らかなように、雌型／雄型接続部４’’及び４’’’は、寸法によって互いに異なるのみである。図９ａ，９ｂにおいて見られるように、雌型／雄型接続部４’’は、４，５ｍｍ〜３，５ｍｍコネクタであり、雌型／雄型接続部４’’’は、３，５ｍｍ〜２，５ｍｍコネクタである。これらのｍｍ値は、孔の直径をいう。従って、この骨プレートは、異なる軸径及び／又は頭部直径を有するねじとともに使用されることができる。
【００３０】
モジュール式骨プレートアセンブリの第四の実施形態について、図１０ａ〜１０ｂを参照して説明する。第四の実施形態に係るモジュール式骨プレート１’’’は、また、カスケード形態において設けられている。図１０ａにおける第三の実施形態とは逆に、モジュール式骨プレート１’’’は、第三の実施形態に係る傾斜部４３１’’に対応する傾斜部４３１’’’によって、骨プレートの中心から両側に向けて厚みが減少している。
【００３１】
モジュール式骨プレートアセンブリの第五の実施形態について、図１１〜１４を参照して説明する。骨プレートは、上腕の拡張可能なプレート１’’’’である。
【００３２】
モジュラーシステムによって、モジュール式骨プレート１’’’’の長さは、所望の通りに選択されることができる。図１２ａ〜ｅから特に明らかなように、ジュール式骨プレート１’’’’は、骨にプレートを接続するための複数の孔を有する本体と、孔を備える中央部分を有する雌型／雄型接続部（（ａ）はなし、（ｂ）は一つ、（ｃ）は二つ、（ｄ）は三つ、（ｅ）は四つ）と、一つの雄型末端部３’’’’と、を備える。このシステムを用いて、所望の長さを有するプレートを提供するために、一つのタイプの頭部と複数の接続部とを組み合わせることが可能である。図１３から明らかなように、骨プレートの本体の厚みは、異なっていてもよいか、或いは、図１４から明らかなように、本体は、湾曲しているか、角度を付けられていてもよい。
【００３３】
モジュール式骨プレートアセンブリの第六の実施形態について、図１５〜１９ｂを参照して説明する。モジュール式骨プレート１’’’’’は、急角度な構成又は固定角の構成である。モジュール式骨プレート１’’’’’は、図１６ａ〜ｉに示される部材の組み合わせである。図１７ａ〜ｉは、図１６及び図１７に示される部分をいう。図１６ａは、図１７ｉに対応する。図１６ｂは、図１７ｈに対応する。図１６ｃは、図１７ｇに対応する。図１６ｄは、図１７ｆに対応する。図１６ｅは、図１７ｅに対応する。図１６ｆは、図１７ｄに対応する。図１６ｇは、図１７ｃに対応する。図１６ｈは、図１７ｂに対応する。図１６ｉは、図１７ａに対応する。雄型部分が、接続部の縦軸に対してある角度で挿入される雌型部分内に凹部４５’’’’を設けることによって、図１８〜１９に示されるように、角度を有する構成が達成される。
【００３４】
０度（図１６ｅ，１７ｅ）、３０度（１６ｄ，ｆ、１７ｄ，ｆ）、４５度（図１６ｃ，ｇ、１７ｃ，ｇ）、６０度（図１６ｂ，ｈ、１７ｂ，ｈ）、９０度（図１６ａ，ｉ、１７ａ，ｉ）の角度について示す。また、他の角度も可能である。上述のラグ部‐凸部原理（ｌｕｇ‐ｔｏｎｇｕｅ‐ｐｒｉｎｃｉｐｌｅ）に従って、これらの部分を接続することによって、図１５に示される構成が、達成される。該構成は、上述のような骨ねじによって又はボールロッキングキャップを用いて固定される。さらなる変更において、雌型部分は、また、固定角からの変更を許容する図５〜図６に係る角度の付いた構成をさらに有してもよい。図１８ａ，ｂ及び図１９ａ，ｂから明らかなように、角度の付いた構成は、雌型接続部の外壁の周囲の所望の位置に、雌型／雄型接続部４’’’’の雌型接続部の凹部４５’’’’を設けることによって達成される。図１９ａ，ｂは、図１６ａ，ｉ及び図１７ａ，ｉに示される９０度角型を示す。
【００３５】
モジュール式骨プレートアセンブリの第七の実施形態について、図２０及び図２１に示す。骨プレートは、例えば、手首に適用可能な、Ｔ型頭部を有するＴ型プレートである。プレートは、全体として、角度を付けられて又は湾曲して構成されてもよい。
【００３６】
モジュール式骨プレートアセンブリの第八の実施形態について、図２２及び図２３に示す。骨プレートは、例えば、肘に適用可能な、Ｙ型頭部を有するＹ型プレートである。
【００３７】
モジュール式骨プレートアセンブリの第九の実施形態について、図２４及び図２５を参照して説明する。他の実施形態に関する唯一の相違は、例えば、図２４ａ〜ｃに見られることができる交換可能な頭部である。図２４ａにおける六つの孔を有する直線頭部、図２４ｂにおける四つの孔を有する直線頭部、及び図２４ｃにおける四つの孔を有し、そのうちの二つの孔が傾斜されている孔を有する頭部を示す。
【００３８】
モジュール式骨プレートアセンブリ１０’’’の第十の実施形態について、図２６ａ〜図２９に示す。
【００３９】
図２７〜図２８ｂから明らかなように、雄型部分と雌型部分との間の接続は、二重ラッチ接続部によって実現されている。第二の実施形態に係る雌型接続部２’は、凹部２３’、及び、さらに、雌型末端部２’の円錐部分における凹部２３’の上に位置決めされる図２７に示す第二の凹部２４’を備える。第七の実施形態に係る雌型／雄型接続部４’’’’’’の雄型部分は、中央部分４３’’’’’’に接続される突起部４３２’’’’’’を備える。中央部分４３’’’’’’の幅全体を越えて延びる突起部４３２’’’’’’は、他の雌型／雄型接続部４’’’’’’の第二の凹部４８’’’’’’に適合するように構成されている。これにより、骨ねじ又はロッキングキャップがまだ挿入されていない場合、付加的な事前固定が提供され、ねじ及び／又はキャップが固定されると、より安定した構成が形成されてもよい。
【００４０】
モジュール式骨プレート１０’’’’及びモジュール式骨プレート１００の第十一の実施形態について、図３０〜図３１を参照して説明する。上述の実施形態に関する相違は、雄型部分が孔内にねじ１０１’’’’を備え、雌型／雄型接続部の雌型部分が、ねじを有さないことである。接続は、通常のねじ７’を用いて固定されることができる。プレートは、また、球状の頭部のない通常の骨ねじとともに使用されるのに適している。
【００４１】
接続部は、また、一つ又は幾つかの付加的な孔及び端部に雌型及び雄型部分を有するより長い部分であってもよい。
【００４２】
モジュール式骨プレート１０’’’’’の第十二の実施形態について、図３２ａ〜図３２ｃを参照して説明する。第十の実施形態との相違は、突起部４３２’’’’’’’が、第一の部材の中央部分４３’’’’’’’で接続され、突起部４３２’’’’’’’の上面が中央部分４３’’’’’’’の上面と同一平面であることである。第二の凹部４８’’’’’’’は、第二の部材の中央部分４３’’’’’’’で接続され、第二の凹部４８’’’’’’’は、突起部４３２’’’’’’’に適合する。これにより、第十の実施形態と同様の利点が提供され、製造が促進される。さらに、第二の突起部は、第一の部材の中央部分に接続され、突起部の下面が中央部分の下面と同一平面であってもよい。対応する第三の凹部は、第二の部材に設けられる。
【００４３】
実施形態の特徴は、互いの間で組み合わされることができる。
【００４４】
骨プレートの部分は、チタン、ステンレス鋼、ニッケル‐チタン合金、例えば、ニチノール等の生体適合性金属又は金属合金等の生体適合性材料、或いは、ＰＥＥＫ（ポリエーテルエーテルケトン）等の生体適合性プラスチック材料で製造される。部材は、全て、同じ材料であっても、異なる材料であってもよい。
【図１ａ】
0006001062.tif 000002
【図１ｂ】
0006001062.tif 000003
【図１ｃ】
0006001062.tif 000004
【図１ｄ】
0006001062.tif 000005
【図２ａ】
0006001062.tif 000006
【図２ｂ】
0006001062.tif 000007
【図３ａ】
0006001062.tif 000008
【図３ｂ】
0006001062.tif 000009
【図４】
0006001062.tif 000010
【図５ａ】
0006001062.tif 000011
【図５ｂ】
0006001062.tif 000012
【図６】
0006001062.tif 000013
【図７ａ】
0006001062.tif 000014
【図７ｂ】
0006001062.tif 000015
【図７ｃ】
0006001062.tif 000016
【図７ｄ】
0006001062.tif 000017
【図７ｅ】
0006001062.tif 000018
【図８ａ】
0006001062.tif 000019
【図８ｂ】
0006001062.tif 000020
【図９ａ】
0006001062.tif 000021
【図９ｂ】
0006001062.tif 000022
【図１０ａ】
0006001062.tif 000023
【図１０ｂ】
0006001062.tif 000024
【図１１】
0006001062.tif 000025
【図１２】
0006001062.tif 000026
【図１３】
0006001062.tif 000027
【図１４】
0006001062.tif 000028
【図１５】
0006001062.tif 000029
【図１６】
0006001062.tif 000030
【図１７】
0006001062.tif 000031
【図１８ａ】
0006001062.tif 000032
【図１８ｂ】
0006001062.tif 000033
【図１９ａ】
0006001062.tif 000034
【図１９ｂ】
0006001062.tif 000035
【図２０】
0006001062.tif 000036
【図２１】
0006001062.tif 000037
【図２２】
0006001062.tif 000038
【図２３】
0006001062.tif 000039
【図２４】
0006001062.tif 000040
【図２５】
0006001062.tif 000041
【図２６ａ】
0006001062.tif 000042
【図２６ｂ】
0006001062.tif 000043
【図２７】
0006001062.tif 000044
【図２８ａ】
0006001062.tif 000045
【図２８ｂ】
0006001062.tif 000046
【図２９】
0006001062.tif 000047
【図３０ａ】
0006001062.tif 000048
【図３０ｂ】
0006001062.tif 000049
【図３０ｃ】
0006001062.tif 000050
【図３１ａ】
0006001062.tif 000051
【図３１ｂ】
0006001062.tif 000052
【図３１ｃ】
0006001062.tif 000053
【図３２ａ】
0006001062.tif 000054
【図３２ｂ】
0006001062.tif 000055
【図３２ｃ】
0006001062.tif 000056